(57)【要約】  加熱調理器は、加熱調理部と、撮影部と、画像認識部と、調整部と、表示部とを備える。加熱調理部は、被加熱物を加熱する。撮影部は、被加熱物の画像を撮影する。画像認識部は、被加熱物の画像に対して画像認識を行うことで、被加熱物に関する複数の候補を確からしさに基づいて抽出する。調整部は、画像認識部により抽出された複数の候補の表示順序を調整する。表示部は、調整部により調整された表示順序で複数の候補を表示する。画像認識部が、被加熱物が加熱調理部に配置されていないと判定した場合、または、画像認識部が、被加熱物が異物であると判定した場合、表示部は、被加熱物に関する候補を表示しない。本態様によれば、不要な加熱が行われたり、不要な候補が表示されたりすることを防止することができる。
2020054609.tif 000002
【特許請求の範囲】
【請求項１】
被加熱物を加熱するように構成された加熱調理部と、
前記被加熱物の画像を撮影するように構成された撮影部と、
前記被加熱物の前記画像に対して画像認識を行うことで、前記被加熱物に関する複数の候補を確からしさに基づいて抽出するように構成されるとともに、前記被加熱物が前記加熱調理部に配置されていないこと、および、前記被加熱物が異物であることを判定するように構成された画像認識部と、
前記画像認識部により抽出された前記複数の候補の表示順序を調整するように構成された調整部と、
前記調整部により調整された前記表示順序で前記複数の候補を表示するように構成されるとともに、前記画像認識部が、前記被加熱物が前記加熱調理部に配置されていないと判定した場合、または、前記画像認識部が、前記被加熱物が異物であると判定した場合、前記被加熱物に関する候補を表示しないように構成された表示部と、を備えた、
加熱調理器。
【請求項２】
前記画像認識部が、前記複数の候補のうち、最も確からしい候補の確からしさを示す数値が所定の閾値よりも低い場合、前記被加熱物が異物であると判定する、
請求項１に記載の加熱調理器。
【請求項３】
前記画像認識部が、前記複数の候補のうちの最も確からしい候補が異物である場合、前記被加熱物が異物であると判定する、
請求項１に記載の加熱調理器。
【請求項４】
提示部をさらに備え、
前記画像認識部が、前記被加熱物が前記加熱調理部に配置されていないと判定した場合、または、前記画像認識部が、前記被加熱物が異物であると判定した場合、前記提示部は、前記被加熱物に関する候補が抽出されないことを提示する、
請求項１に記載の加熱調理器。
【請求項５】
前記提示部が前記表示部であり、
前記画像認識部が、前記被加熱物が前記加熱調理部に配置されていないと判定した場合、または、前記画像認識部が、前記被加熱物が異物であると判定した場合、前記表示部が、前記被加熱物に関する前記候補が抽出されない旨のメッセージを表示する、
請求項４に記載の加熱調理器。
【請求項６】
前記提示部がスピーカであり、
前記画像認識部が、前記被加熱物が前記加熱調理部に配置されていないと判定した場合、または、前記画像認識部が、前記被加熱物が異物であると判定した場合、前記スピーカが、前記被加熱物に関する前記候補が存在しないことを示す音声を出力する、
請求項４に記載の加熱調理器。
【請求項７】
前記複数の候補の中から使用者が一つの候補を選択するための操作部と、
選択履歴情報として、前記複数の候補と前記一つの候補とを対応させて記憶する履歴記憶部と、をさらに備え、
前記調整部は、前記選択履歴情報に基づいて、前記複数の候補の前記表示順序を決定する、
請求項１に記載の加熱調理器。
【請求項８】
現在時刻を計時する時計部をさらに備え、
前記履歴記憶部は、前記選択履歴情報として、前記一つの候補の選択が行われた選択時間帯と、前記選択時間帯において前記一つの候補が選択される選択頻度とを記憶する、
請求項７に記載の加熱調理器。
【請求項９】
前記履歴記憶部が、前記一つの候補が選択されたときの前記複数の候補の前記表示順序を記憶する、
請求項７に記載の加熱調理器。
【請求項１０】
前記調整部が、前記選択履歴情報の中から前記選択時間帯が同じで、前記選択頻度の最も高い前記選択履歴情報を抽出し、抽出された前記選択履歴情報に応じて前記複数の候補の前記表示順序を決定する、
請求項８に記載の加熱調理器。
【請求項１１】
前記履歴記憶部が外部のサーバに設けられた、
請求項７に記載の加熱調理器。
【請求項１２】
前記加熱調理部が、前記被加熱物を収容するための加熱室を有する、
請求項１に記載の加熱調理器。
【請求項１３】
前記加熱調理部が、前記被加熱物を載置するためのトッププレートと、前記トッププレートの下方に配置された誘導加熱コイルとを有する、
請求項１に記載の加熱調理器。
【発明の詳細な説明】
【技術分野】
【０００１】
本開示は加熱調理器に関する。
【背景技術】
【０００２】
従来、電子レンジには、マイクロ波加熱機能に加えて、輻射加熱機能、スチーム加熱機能を備えたものがある。このような加熱調理器には、被加熱物である食材に適した調理メニューを有し、調理メニューボタンにより選択された被加熱物の種類（ごはん、牛乳、野菜など）に適した加熱を行うことができる機種がある。【０００３】
近年、加熱室内に配置されたカメラを有し、画像認識により特定された被加熱物の種類に応じて自動的に加熱を行う加熱調理器が提案されている。上記従来の加熱調理器により、使用者が被加熱物の種類を選択することなく、その被加熱物に適した加熱を自動的に行うことができる。【０００４】
しかしながら、上記従来の加熱調理器は、画像認識による被加熱物の特定が不正確な場合、その被加熱物に適した加熱を行うことができない。【０００５】
この問題を解決するために、以下の加熱調理器が提案されている（例えば、特許文献１参照）。特許文献１に記載の加熱調理器は、画像認識の結果に基づいて被加熱物に関する多数の候補から例えば三つの候補を抽出するとともに、その認識の確からしさの順にそれらの候補を表示する。使用者は、選択ボタンなどを用いて、表示された候補から一つを選択する。【０００６】
これにより、画像認識の結果が必ずしも正確でなくても、被加熱物に適した加熱を行うことができる。
【先行技術文献】
【特許文献】
【０００７】
【特許文献１】特開２０１４−２０２４１４号公報
【発明の概要】
【０００８】
特許文献１に記載の加熱調理器は、加熱室内に被加熱物が無い場合、または、加熱室内に異物（皿などの食品でないもの）が収容された場合でも、被加熱物の多数の候補からいくつかの候補を抽出して表示する。
【０００９】
特に、画像認識のためにディープラーニング（Deep Learning）などの機械学習を利用すると、特許文献１に記載の加熱調理器は、何らかの確からしさに基づいて、必ず被加熱物の多数の候補からいくつかの候補を抽出して表示する。
【００１０】
このため、特許文献１に記載の加熱調理器は、不要な加熱を行ったり、不要な候補を毎回表示したりする可能性がある。
【００１１】
本開示は、加熱室内に被加熱物が配置されていない場合、または、加熱室内に異物が載置された場合、加熱を行わず、かつ、不要な候補を表示しない加熱調理器を提供することを目的とする。
【００１２】
本開示の一態様の加熱調理器は、加熱調理部と、撮影部と、画像認識部と、調整部と、表示部とを備える。加熱調理部は、被加熱物を加熱する。
【００１３】
撮影部は、被加熱物の画像を撮影する。画像認識部は、被加熱物の画像に対して画像認識を行うことで、被加熱物に関する複数の候補を確からしさに基づいて抽出する。さらに、画像認識部は、被加熱物が加熱調理部に配置されていないこと、および、被加熱物が異物であることを判定する。
【００１４】
調整部は、画像認識部により抽出された複数の候補の表示順序を調整する。表示部は、調整部により調整された表示順序で複数の候補を表示する。さらに、表示部は、画像認識部が、被加熱物が加熱調理部に配置されていないと判定した場合、または、画像認識部が、被加熱物が異物であると判定した場合、被加熱物に関する候補を表示しない。
【００１５】
本態様の加熱調理器は、加熱室内に被加熱物が配置されていない場合、または、加熱室内に異物が載置された場合、不要な加熱、および、不要な候補の表示を防止することができる。
【図面の簡単な説明】
【００１６】
【図１】図１は、実施の形態に係る加熱調理器の構成を示すブロック図である。
【図２】図２は、実施の形態に係る加熱調理器であるオーブン機能付き電子レンジの構成を示すブロック図である。
【図３】図３は、候補記憶部に記憶された候補一覧表の一例を示す図である。
【図４】図４は、履歴記憶部に記憶された選択履歴表の一例を示す図である。
【図５】図５は、実施の形態に係る加熱調理器における調理制御のフローチャートである。
【図６】図６は、調理制御における候補の抽出のフローチャートである。
【図７】図７は、候補の抽出結果の第１例を示す図である。
【図８】図８は、候補の抽出結果の第２例を示す図である。
【図９】図９は、候補の抽出結果の第３例を示す図である。
【図１０】図１０は、調理制御における表示順序の調整のフローチャートである。
【図１１】図１１は、実施の形態に係る加熱調理器における表示部の表示画面の一例を示す図である。
【図１２】図１２は、調理制御における選択履歴の保存のフローチャートである。
【図１３】図１３は、実施の形態の第１の変形例に係る加熱調理器の構成を示すブロック図である。
【図１４】図１４は、実施の形態の第２の変形例に係る加熱調理器の構成を示すブロック図である。
【図１５】図１５は、実施の形態の第３の変形例に係る加熱調理器の構成を示すブロック図である。
【発明を実施するための形態】
【００１７】
本開示の第１の態様の加熱調理器は、加熱調理部と、撮影部と、画像認識部と、調整部と、表示部とを備える。加熱調理部は、被加熱物を加熱する。
【００１８】
撮影部は、被加熱物の画像を撮影する。画像認識部は、被加熱物の画像に対して画像認識を行うことで、被加熱物に関する複数の候補を確からしさに基づいて抽出する。さらに、画像認識部は、被加熱物が加熱調理部に配置されていないこと、および、被加熱物が異物であることを判定する。
【００１９】
調整部は、画像認識部により抽出された複数の候補の表示順序を調整する。表示部は、調整部により調整された表示順序で複数の候補を表示する。さらに、表示部は、画像認識部が、被加熱物が加熱調理部に配置されていないと判定した場合、または、画像認識部が、被加熱物が異物であると判定した場合、被加熱物に関する候補を表示しない。
【００２０】
本開示の第２の態様の加熱調理器において、第１の態様に加えて、画像認識部は、複数の候補のうち、最も確からしい候補の確からしさを示す数値が所定の閾値よりも低い場合、被加熱物が異物であると判定する。
【００２１】
本開示の第３の態様の加熱調理器において、第１の態様に加えて、画像認識部は、複数の候補のうちの最も確からしい候補が異物である場合、被加熱物が異物であると判定する。
【００２２】
本開示の第４の態様の加熱調理器は、第１の態様に加えて、提示部をさらに備える。画像認識部が、被加熱物が加熱調理部に配置されていないと判定した場合、または、画像認識部が、被加熱物が異物であると判定した場合、提示部は、被加熱物に関する候補が抽出されないことを提示する。
【００２３】
本開示の第５の態様の加熱調理器において、第４の態様に加えて、提示部は上記表示部である。画像認識部が、被加熱物が加熱調理部に配置されていないと判定した場合、または、画像認識部が、被加熱物が異物であると判定した場合、表示部は、被加熱物に関する候補が抽出されない旨のメッセージを表示する。
【００２４】
本開示の第６の態様の加熱調理器において、第４の態様に加えて、提示部はスピーカである。画像認識部が、被加熱物が加熱調理部に配置されていないと判定した場合、または、画像認識部が、被加熱物が異物であると判定した場合、スピーカは、被加熱物に関する候補が存在しないことを示す音声を出力する。
【００２５】
本開示の第７の態様の加熱調理器は、第１の態様に加えて、複数の候補の中から使用者が一つの候補を選択するように構成された操作部と、選択履歴情報として、複数の候補と当該一つの候補とを対応させて記憶する履歴記憶部と、をさらに備える。調整部は、選択履歴情報に基づいて、複数の候補の表示順序を決定する。
【００２６】
本開示の第８の態様の加熱調理器は、第７の態様に加えて、現在時刻を計時する時計部をさらに備える。履歴記憶部は、選択履歴情報として、当該一つの候補の選択が行われた選択時間帯と、選択時間帯において当該一つの候補が選択される選択頻度とを記憶する。
【００２７】
本開示の第９の態様の加熱調理器において、第７の態様に加えて、履歴記憶部は、当該一つの候補が選択されたときの複数の候補の表示順序を記憶する。
【００２８】
本開示の第１０の態様の加熱調理器において、第８の態様に加えて、調整部は、選択履歴情報の中から選択時間帯が同じで、選択頻度の最も高い選択履歴情報を抽出し、抽出された選択履歴情報に応じて複数の候補の表示順序を決定する。
【００２９】
本開示の第１１の態様の加熱調理器において、第７の態様に加えて、履歴記憶部は外部のサーバに設けられる。
【００３０】
本開示の第１２の態様の加熱調理器において、第１の態様に加えて、加熱調理部が、被加熱物を収容するように構成された加熱室を有する。
【００３１】
本開示の第１３の態様の加熱調理器において、第１の態様に加えて、加熱調理部が、被加熱物を載置するように構成されたトッププレートと、トッププレートの下方に配置された誘導加熱コイルとを有する。
【００３２】
以下、本開示の実施の形態について、図面を参照しながら説明する。以下に説明する実施の形態は本開示の一具体例である。本実施の形態で示される数値、構成、各ステップの処理内容、および、ステップの順序などは一例であって、本開示を限定するものではない。
【００３３】
本実施の形態に係る加熱調理器１の構成について、図１、図２を用いて説明する。図１は、加熱調理器１の構成を示すブロック図である。図１に示すように、加熱調理器１は、加熱調理部１０と、撮影部２０と、制御部３０と、記憶部４０と、操作部５０と、表示部６０とを備える。記憶部４０は、候補記憶部４１と、履歴記憶部４２とを含む。
【００３４】
図２は、加熱調理器１であるオーブン機能付き電子レンジの構成を示すブロック図である。図２に示すように、本実施の形態において、加熱調理器１は、加熱室１１を備えたオーブン機能付き電子レンジである。
【００３５】
加熱室１１は、加熱室１１を区画する内箱１２ａと、内箱１２ａを囲う外箱１２ｂとを有する。加熱室１１の前面には、加熱室１１の前面開口を覆うように扉１３が設けられる。
【００３６】
加熱調理部１０は、マイクロ波を発振するマグネトロン（不図示）を有し、加熱室１１に収容された被加熱物２を、マイクロ波により加熱するマイクロ波加熱機能を有する。加熱調理部１０は、マイクロ波加熱機能に加えて、輻射ヒータ１４を用いた輻射加熱機能を備える。
【００３７】
撮影部２０は、加熱室１１内に載置された被加熱物２の画像を、例えばカラー静止画像として撮影するカメラである。撮影部２０は、例えば、ＣＣＤ（Charge Coupled Device）イメージセンサ、ＣＭＯＳ（Complementary Metal-Oxide Semiconductor）イメージセンサなどの撮像素子を備える。本実施の形態において、撮影部２０は、内箱１２ａの側壁の上部に設けられる。
【００３８】
制御部３０は、マイクロコンピュータで構成され、画像認識部３１と、調整部３２と、時計部３３とを含む。
【００３９】
画像認識部３１は、撮影部２０により撮影された画像に対して画像認識を行うことで、加熱調理部１０に被加熱物２が配置されているか否かを判断する。画像認識部３１における画像認識は、機械学習を利用して行われる。画像認識のための機械学習として、ディープラーニングまたは人工知能を用いることができる。
【００４０】
具体的には、画像認識部３１は、撮影部２０により撮影された加熱室１１の内部の画像と、加熱室１１に被加熱物２が存在しないときの加熱室１１の内部の画像とを比較することで、加熱室１１内に被加熱物２が載置されているか否かを判断する。
【００４１】
画像認識部３１は、さらに、撮影部２０により撮影された画像に対して画像認識を行うことで、被加熱物２に関する複数の候補を確からしさの順に抽出する。
【００４２】
具体的には、画像認識部３１は、撮影部２０により撮影された加熱室１１の内部の画像から、被加熱物２の形状、色調、色彩などを認識する。画像認識部３１は、この結果と候補記憶部４１に記憶された候補一覧表とを比較する。画像認識部３１は、候補一覧表に登録された候補の画像と、撮影部２０により撮影された画像との相関に基づいて、確からしさの高い順に被加熱物２に関するいくつかの候補を抽出する。本実施の形態では、三つの候補が抽出候補Ｃ１、抽出候補Ｃ２、抽出候補Ｃ３として抽出される。
【００４３】
確からしさは、０％〜１００％の数値で表される。確からしさを示す数値が高いほど、その候補が、加熱室１１に配置された被加熱物２に一致する可能性が高い。
【００４４】
図３に示すように、候補一覧表には、被加熱物２の候補となり得る食材だけでなく、皿、プラスチック製容器など、本来加熱する必要のない異物も含まれる。すなわち、候補一覧表には、異物も被加熱物２の候補として含まれる。
【００４５】
候補記憶部４１は、候補一覧表における候補を、機械学習などによって予め画像データとして記憶する。例えば、候補一覧表における候補に関するデータは、例えば形状および色を含む情報である。候補記憶部４１は、後で追加された情報を含めて再度機械学習を行ったものを候補一覧表における候補として記憶してもよい。
【００４６】
画像認識部３１は、画像認識の結果と候補一覧表との比較により抽出された複数の候補のうち、最も確からしい候補が異物である場合、被加熱物２が異物であると判定する。
【００４７】
画像認識部３１は、画像認識により抽出された複数の候補のうち、最も確からしい候補の確からしさを示す数値が所定の閾値よりも低い場合、被加熱物２が異物であると判定してもよい。
【００４８】
画像認識部３１は、画像認識の結果と候補一覧表とを比較した結果、候補一覧表に被加熱物２の候補が存在しないと判断した場合、被加熱物２が異物であると判定してもよい。
【００４９】
調整部３２は、画像認識部３１により抽出された複数の候補の表示順序を調整する。具体的には、調整部３２は、履歴記憶部４２に記憶された選択履歴情報に基づいて、複数の候補の表示順序を決定する。
【００５０】
使用者は、調整部３２により調整され、表示部６０に表示された複数の候補の中から、操作部５０を用いて一つの候補を選択する。履歴記憶部４２は、画像認識部３１により抽出された過去の複数の候補と、操作部５０により選択された一つの候補とを対応させて選択履歴情報として記憶する。
【００５１】
操作部５０は、機械式のボタンで構成されてもよく、タッチパネルで構成されてもよい。タッチパネルが操作部５０を構成する場合、このタッチパネルが表示部６０を構成してもよい。この場合、このタッチパネルは操作表示部を構成する。
【００５２】
図４に示すように、履歴記憶部４２は、選択履歴表に記載された選択履歴情報を記憶する。具体的には、履歴記憶部４２は、操作部５０により一つの候補（図４に示す「選択された被加熱物」）が選択されたときの複数の候補の表示順序を記憶する。
【００５３】
本実施の形態では、履歴記憶部４２は、画像認識部３１により抽出された三つの候補を履歴候補Ｍ１、Ｍ２、Ｍ３として記憶する。履歴記憶部４２は、履歴候補Ｍ１、Ｍ２、Ｍ３に加えて、操作部５０により選択された一つの候補と、その選択が行われた選択時間帯と、その選択時間帯においてその一つの候補が選択される選択頻度とを選択履歴情報として記憶する。
【００５４】
調整部３２は、選択履歴情報の中から選択時間帯が同じで、選択頻度の最も高い選択履歴情報を抽出し、抽出された選択履歴情報に応じて複数の候補の表示順序を決定する。
【００５５】
時計部３３は現在時刻を計時し、現在時刻に基づいて操作部５０により一つの候補の選択が行われた選択時間帯を特定する。履歴記憶部４２は、この選択時間帯を記憶する。
【００５６】
表示部６０は、調整部３２により調整された表示順序で複数の候補を表示する。表示部６０は、液晶パネルなどで構成される。表示部６０は、調理メニューボタンなどの操作により選択された項目、および、決定された加熱条件（出力、温度、時間など）、調理メニュー、スタートボタンおよび取り消しボタンの操作に基づく加熱調理器１の運転状態などを表示してもよい。
【００５７】
このように構成された加熱調理器１において、画像認識部３１が、被加熱物２が加熱調理部１０に配置されていないと判定した場合、または、画像認識部３１が、被加熱物２が異物であると判定した場合、表示部６０は提示部として機能する。この場合、表示部６０は、被加熱物２に関する候補を表示せず、その代わり、被加熱物２に関する候補が抽出されない旨のメッセージを表示する。
【００５８】
次に、加熱調理器１における調理制御について説明する。図５は、加熱調理器１における調理制御のフローチャートである。図５に示すように、例えば、使用者がスタートボタンを押下した場合、ステップＳ１０において、撮影部２０が加熱室１１の内部を撮影し、画像認識部３１が、この画像に対して画像認識を行って、被加熱物２が加熱室１１内に載置されているか否かを判断する。
【００５９】
より具体的には、記憶部４０が、加熱室１１内に被加熱物２が存在していないときの加熱室１１の内部の画像を基準画像として予め記憶する。画像認識部３１が、この基準画像と加熱室１１の内部の画像とを画像認識により比較することで、加熱室１１内に被加熱物２が載置されているか否かを判断する。
【００６０】
この結果、画像認識部３１が、被加熱物２が加熱調理部１０に配置されていないと判定した場合（ステップＳ１０でＮＯの場合）、表示部６０に被加熱物２に関する候補が表示されることなく、調理制御は終了する。すなわち、調理は行われない。このとき、表示部６０は、加熱室１１内に被加熱物２が存在しない旨のメッセージを表示する。表示部６０は、被加熱物２に関する候補が抽出されない旨のメッセージを表示してもよい。
【００６１】
画像認識部３１が、被加熱物２が加熱調理部１０に配置されていると判定した場合（ステップＳ１０でＹＥＳの場合）、ステップＳ２０において、画像認識部３１は、候補の抽出を行う。
【００６２】
ここで、ステップ２０における候補の抽出について、図６を用いて説明する。図６は、調理制御における候補の抽出のフローチャートである。図６に示すように、候補の抽出のため、ステップＳ２１において、画像認識部３１が、撮影部２０により撮影された画像に対して画像認識を行い、被加熱物２に関する複数の候補を確からしさに基づいて抽出する。
【００６３】
具体的には、画像認識部３１は、撮影部２０により撮影された加熱室１１の内部の画像と、候補記憶部４１に記憶された候補一覧表（図３参照）に登録された候補の画像とを比較する。画像認識部３１は、二つの画像を比較した結果、相関がより高い候補を、より確からしい候補として認識する。画像認識部３１は、その確からしさに基づいて被加熱物２に関する複数の候補を抽出する。
【００６４】
ステップＳ２２において、画像認識部３１は、確からしさの上位三つの候補を、確からしさの順に抽出候補Ｃ１、Ｃ２、Ｃ３に設定する。図７は、その抽出結果の一例を示す。図７に示す例では、アスパラガス、ほうれん草、ブロッコリが、それぞれ抽出候補Ｃ１、Ｃ２、Ｃ３として抽出される。
【００６５】
図５に戻り、ステップＳ２０における候補の抽出の後、ステップＳ３０において、画像認識部３１が、被加熱物２が異物であるか否かを判定する。
【００６６】
具体的には、ステップＳ２０で抽出された複数の候補（抽出候補Ｃ１、Ｃ２、Ｃ３）のうち、最も確からしい候補（抽出候補Ｃ１）が異物でなく、かつ、最も確からしい候補の確からしさを示す数値が所定の閾値以上である場合、画像認識部３１は、被加熱物２が異物ではないと判定する。この閾値は例えば４０％である。
【００６７】
図７に示すように、例えば、抽出候補Ｃ１がアスパラガスであって異物ではなく、かつ、抽出候補Ｃ１の確からしさを示す数値（９９．８％）が所定の閾値（４０％）を超えている場合、画像認識部３１は、抽出候補Ｃ１が異物ではないと判定する。
【００６８】
図８に示すように、抽出候補Ｃ１が皿である場合、画像認識部３１は、被加熱物２が異物であると判定する。
【００６９】
抽出候補Ｃ１の確からしさを示す数値が所定の閾値よりも低い場合、画像認識部３１は、被加熱物２が異物であると判定する。図９に示すように、例えば、抽出候補Ｃ１が茄子であっても、抽出候補Ｃ１の確からしさを示す数値（３０．５％）が所定の閾値（４０％）を下回っている場合、画像認識部３１は、抽出候補Ｃ１が異物であると判定する。
【００７０】
このように、被加熱物２が異物であると判定された場合（ステップＳ３０でＹＥＳの場合）、表示部６０に被加熱物２に関する候補が表示されることなく、調理制御が終了する。すなわち、調理は行われない。このとき、表示部６０は、被加熱物２が食材ではなく異物である旨のメッセージを表示する。表示部６０は、被加熱物２に関する候補が抽出されない旨のメッセージを表示してもよい。
【００７１】
被加熱物２が異物ではないと判定された場合（ステップＳ３０でＮＯの場合）、ステップＳ４０において、調整部３２が、画像認識部３１により抽出された被加熱物２に関する複数の候補の表示順序を調整する。
【００７２】
ここで、ステップＳ４０における表示順序の調整について、図１０を用いて説明する。図１０は、調理制御における表示順序の調整のフローチャートである。図１０に示すように、表示順序の調整のため、ステップＳ４１において、調整部３２は、履歴記憶部４２から選択履歴表（図４参照）を読み出す。
【００７３】
ステップＳ４２において、調整部３２は、選択履歴表の中に、履歴候補Ｍ１、Ｍ２、Ｍ３が抽出候補Ｃ１、Ｃ２、Ｃ３とそれぞれ同じで、かつ、現在時刻が選択時間帯に含まれる行があるか否かを判断する。
【００７４】
ステップＳ４２でＹＥＳの場合、ステップＳ４３において、調整部３２は、選択履歴表の選択頻度の最も高い行における「選択された被加熱物」を抽出する。ステップＳ４４において、調整部３２は、その「選択された被加熱物」を表示候補Ｄ１に設定するとともに、その行における他の二つの候補を確からしさの順に表示候補Ｄ２、Ｄ３に設定する。これで、表示順序の調整が終了する。
【００７５】
ステップＳ４２でＮＯの場合、ステップＳ４５において、調整部３２は、抽出候補Ｃ１、Ｃ２、Ｃ３を表示候補Ｄ１、Ｄ２、Ｄ３に設定する。これで、表示順序の調整が終了する。
【００７６】
図５に戻り、表示順序の調整の後、ステップＳ５０において、表示部６０は、調整部３２により調整された表示順序で、被加熱物２に関する複数の候補を表示する。具体的には、表示候補Ｄ１、Ｄ２、Ｄ３が表示部６０に表示される。
【００７７】
例えば、図７に示すように、アスパラガス、ほうれん草、ブロッコリがそれぞれ抽出候補Ｃ１、Ｃ２、Ｃ３として抽出され、それぞれ表示候補Ｄ１、Ｄ２、Ｄ３に設定された場合、表示部６０は図１１のように表示する。図１１に示すように、表示部６０は、アスパラガス、ほうれん草、ブロッコリの写真および名称を、確からしさを示す数値の順に表示する。
【００７８】
図５に戻り、候補の表示の後、ステップＳ６０において、制御部３０は、被加熱物２の種類が決定されたか否かを判定する。具体的には、使用者が、操作部５０を操作して、表示部６０に表示された被加熱物２に関する複数の候補から一つの候補を選択する。この選択に応答して、制御部３０は、被加熱物２の種類が決定されたと判断する。
【００７９】
被加熱物２の種類が決定された場合（ステップＳ６０でＹＥＳの場合）、ステップＳ７０において、制御部３０は選択履歴を保存する。被加熱物２の種類が決定されない間は（ステップＳ６０でＮＯの場合）、ステップＳ６０の処理が繰り返される。
【００８０】
ここで、ステップＳ７０における選択履歴の保存について、図１２を用いて説明する。図１２は、調理制御における選択履歴の保存のフローチャートである。図１２に示すように、選択履歴の保存のため、ステップＳ７１において、制御部３０は、履歴記憶部４２から選択履歴表（図４参照）を読み出す。
【００８１】
ステップＳ７２において、制御部３０は、選択履歴表の中に、履歴候補Ｍ１、Ｍ２、Ｍ３が抽出候補Ｃ１、Ｃ２、Ｃ３とそれぞれ同じで、かつ、現在時刻が選択時間帯に含まれる行があるか否かを判断する。
【００８２】
ステップＳ７２でＹＥＳの場合、ステップＳ７３において、制御部３０は、その行の選択頻度を示す数値を一つ増加させる。
【００８３】
ステップＳ７２でＮＯの場合、制御部３０は、選択履歴表に新規の行を追加して、その行に初期値を設定する。具体的には、履歴候補Ｍ１、Ｍ２、Ｍ３がそれぞれ抽出候補Ｃ１、Ｃ２、Ｃ３に設定される。「選択された被加熱物」が、使用者により選択された被加熱物の種類に設定される。選択時間帯が、現在時刻に基づいて設定される。選択頻度が１に設定される。これで、加熱調理器１における調理制御が終了する。
【００８４】
本実施の形態では、画像認識部３１が、被加熱物２が加熱調理部１０に配置されていないと判定した場合、または、画像認識部３１が、被加熱物２が異物であると判定した場合、表示部６０は、被加熱物２に関する候補を表示しない。
【００８５】
これにより、不要な加熱が行われたり、不要な候補が毎回表示されたりすることを防止することができる。
【００８６】
本実施の形態では、画像認識部３１が、被加熱物２が加熱調理部１０に配置されていないと判定した場合、または、画像認識部３１が、被加熱物２が異物であると判定した場合、表示部６０は、被加熱物２に関する候補が抽出されない旨のメッセージを表示する。これにより、使用者は、そのときの状況を容易に認識することができる。
【００８７】
（第１の変形例）
図１３は、本実施の形態の第１の変形例に係る加熱調理器１Ａの構成を示すブロック図である。
【００８８】
本変形例では、上記実施の形態と異なり、記憶部４０は外部のサーバ１００に設けられる。加熱調理器１Ａは、インターネットなどの通信回線を介してサーバ１００と通信し、記憶部４０に記憶された情報の読み書きを行う。
【００８９】
本変形例は、記憶部４０以外については上記実施の形態と同じ構成を有し、上記実施の形態と同様の効果を奏する。
【００９０】
（第２の変形例）
図１４は、本実施の形態の第２の変形例に係る加熱調理器１Ｂの構成を示すブロック図である。
【００９１】
図１４に示すように、加熱調理器１Ｂは、上記実施の形態の構成に加えて、スピーカ７０をさらに備える。本変形例では、スピーカ７０は、表示部６０とともに提示部を構成する。
【００９２】
すなわち、加熱調理器１Ｂは、被加熱物２に関する候補が抽出されないことを、スピーカ７０を用いて音声でも使用者に知らせる。例えば、スピーカ７０は、加熱室１１内に被加熱物が存在しないことを示す音声、または、被加熱物２が食材ではなく異物であることを示す音声を出力する。
【００９３】
本変形例は、スピーカ７０以外については上記実施の形態と同じ構成を有し、上記実施の形態と同様の効果を奏する。
【００９４】
（第３の変形例）
図１５は、本実施の形態の第３の変形例に係る加熱調理器１Ｃの構成を示すブロック図である。本変形例の加熱調理器１Ｃは、ＩＨ（Induction Heating）クッキングヒータを備えたキッチンである。
【００９５】
図１５に示すように、加熱調理器１Ｃは、加熱調理部１０Ｃと、撮影部２０と、制御部３０と、記憶部４０と、操作部５０と、表示部６０と、レンジフード８０とを備える。加熱調理部１０Ｃは、被加熱物２を載置するためのトッププレート１５と、トッププレート１５の下方に配置された誘導加熱コイル１６とを有する。図１５では、トッププレート１５上に、被加熱物２であるやかんおよびフライパンが載置される。
【００９６】
撮影部２０は、レンジフード８０に配置されて、トッププレート１５に載置された被加熱物２を撮影する。表示部６０は、トッププレート１５上の手前側に配置される。
【００９７】
本変形例は、加熱調理部１０Ｃ以外については上記実施の形態と同じ構成を有し、上記実施の形態と同様の効果を奏する。
【００９８】
（その他の変形例）
以上、本開示について実施の形態に基づいて説明したが、本開示は、上記実施の形態に限定されるものではない。
【００９９】
例えば、上記実施の形態において、表示部６０は、被加熱物２の候補を三つ表示する。しかし、本開示はこれに限らない。表示部６０は、被加熱物２の候補を一つもしくは二つ、または、四つ以上表示してもよい。
【０１００】
上述のように、本実施の形態において、制御部３０はマイクロコンピュータで構成される。制御部３０はマイクロコンピュータに限られるものではない。しかしながら、プログラム可能なマイクロコンピュータを用いれば、処理内容を容易に変更可能であり、設計の自由度を高めることができる。
【０１０１】
処理速度の向上のため、制御部３０を論理回路で構成することも可能である。制御部３０を一つまたは複数の素子で構成してもよい。制御部３０を複数の素子で構成する場合、各制御項目をこれら複数の素子で実施してもよい。この場合、これら複数の素子が一つの制御部に対応すると考えることができる。
【産業上の利用可能性】
【０１０２】
本開示は、電子レンジ、ＩＨクッキングヒータ、および、炊飯器などの加熱調理器に適用可能である。
【符号の説明】
【０１０３】
１、１Ａ、１Ｂ、１Ｃ  加熱調理器
２  被加熱物
１０、１０Ｃ  加熱調理部
１１  加熱室
１２ａ  内箱
１２ｂ  外箱
１３  扉
１４  輻射ヒータ
１５  トッププレート
１６  誘導加熱コイル
２０  撮影部
３０  制御部
３１  画像認識部
３２  調整部
３３  時計部
４０  記憶部
４１  候補記憶部
４２  履歴記憶部
５０  操作部
６０  表示部
７０  スピーカ
８０  レンジフード
１００  サーバ
【図１】
2020054609.tif 000003
【図２】
2020054609.tif 000004
【図３】
2020054609.tif 000005
【図４】
2020054609.tif 000006
【図５】
2020054609.tif 000007
【図６】
2020054609.tif 000008
【図７】
2020054609.tif 000009
【図８】
2020054609.tif 000010
【図９】
2020054609.tif 000011
【図１０】
2020054609.tif 000012
【図１１】
2020054609.tif 000013
【図１２】
2020054609.tif 000014
【図１３】
2020054609.tif 000015
【図１４】
2020054609.tif 000016
【図１５】
2020054609.tif 000017
【国際調査報告】
2020054609.tif 000018
2020054609.tif 000019
2020054609.tif 000020
2020054609.tif 000021